(57)【要約】【課題】電気掃除機において、使用者が報知される音声を聞き取り難いこと。【解決手段】吸引力を発生するためのファンモータ１と、音声を用いて電気掃除機の異常や運転状態等を報知する音声報知手段５と、操作されると音声報知手段５で一度報知した音声を聞き直すことができる操作手段２ｂと、ファンモータ１、音声報知手段５等の制御を行う制御手段３とを備え、ファンモータ１が停止状態のときに操作手段２ｂを操作することで、ファンモータ１が停止する前の駆動時に音声報知手段５が一度報知した最新の音声を、再び報知する構成としたので、一度音声報知された情報をファンモータ１停止中に確実に聞き取ることができ、使用性の良い電気掃除機を提供できる。【選択図】図２
2007125133.tif 000002
【特許請求の範囲】
【請求項１】
吸引力を発生するためのファンモータと、音声を用いて電気掃除機の異常や運転状態等を報知する音声報知手段と、操作されると前記音声報知手段で一度報知した音声を聞き直すことができる操作手段と、前記ファンモータ、音声報知手段等の制御を行う制御手段とを備え、ファンモータが停止状態のときに前記操作手段を操作することで、前記ファンモータが停止する前の駆動時に前記音声報知手段が一度報知した最新の音声を、再び報知することを特徴とした電気掃除機。
【請求項２】
ファンモータ駆動時に操作手段を操作すると、制御手段は前記ファンモータを停止させた後に、音声を報知する構成とした請求項１に記載の電気掃除機。
【請求項３】
音声報知手段がファンモータ停止中に一度報知した最新の音声を再び報知しているときに、前記ファンモータの駆動が開始されると、音声報知を停止する構成とした請求項１または２に記載の電気掃除機。
【発明の詳細な説明】
【技術分野】
【０００１】
本発明は電気掃除機に関するものであり、特に音声報知機能を有する電気掃除機に関するものである。
【背景技術】
【０００２】
従来この種の音声報知機能を有する電気掃除機においては、ファンモータの運転音が大きいために、手元操作部に音声出力装置を設ける等、音声報知の可聴性を向上させる構成をとっていた（例えば特許文献１参照）。
【特許文献１】特開平４−１９７３２４号公報
【発明の開示】
【発明が解決しようとする課題】
【０００３】
しかしながら前記従来の構成では、音声報知の可聴性は向上するものの、電気掃除機のファンモータの運転音が大きな例えば強い運転モードなどでは、必ずしも使用者が音声報知を聞きとることは容易ではなかった。そのため、音声報知された情報を聞き逃してしまうという課題を有していた。
【０００４】
本発明は、前記従来の課題を解決するもので、聞き逃したとしても、再び聞き直すことが可能な音声報知機能を有した電気掃除機を提供することを目的とする。
【課題を解決するための手段】
【０００５】
前記従来の課題を解決するために本発明の電気掃除機は、吸引力を発生するためのファンモータと、音声を用いて電気掃除機の異常や運転状態等を報知する音声報知手段と、操作されると前記音声報知手段で一度報知した音声を聞き直すことができる操作手段と、前記ファンモータ、音声報知手段等の制御を行う制御手段とを備え、ファンモータが停止状態のときに前記操作手段を操作することで、前記ファンモータが停止する前の駆動時に前記音声報知手段が一度報知した最新の音声を、再び報知することを特徴としたもので、一度音声報知した内容を再び報知することにより、使用者は音声報知された情報を聞き直おすことができ、また、聞き直し時の音声報知はファンモータが停止した状態で聞くこととなり、音声報知された情報を確実に聞き取ることができ、使用性の良い電気掃除機を提供できるものである。
【発明の効果】
【０００６】
本発明の電気掃除機は、使用者は音声報知された情報を聞き直おすことができるため、使用者は確実に音声報知を聞き取ることが可能となり、使用性の良い電気掃除機を提供することができるものである。
【発明を実施するための最良の形態】
【０００７】
第１の発明は、吸引力を発生するためのファンモータと、音声を用いて電気掃除機の異常や運転状態等を報知する音声報知手段と、操作されると前記音声報知手段で一度報知した音声を聞き直すことができる操作手段と、前記ファンモータ、音声報知手段等の制御を行う制御手段とを備え、ファンモータが停止状態のときに前記操作手段を操作することで、前記ファンモータが停止する前の駆動時に前記音声報知手段が一度報知した最新の音声を、再び報知することを特徴としたもので、一度音声報知した内容を再び報知することにより、使用者は音声報知された情報を聞き直おすことができ、また、聞き直し時の音声報知はファンモータが停止した状態で聞くこととなり、音声報知された情報を確実に聞き取ることができ、使用性の良い電気掃除機を提供できるものである。
【０００８】
第２の発明は、第１の発明のファンモータ駆動時に操作手段を操作すると、制御手段は前記ファンモータを停止させた後に、音声を報知する構成としたもので、電気掃除機運転中に操作手段を操作されると、制御手段はファンモータを停止させてから音声報知を開始することにより、電気掃除機を運転中にも音声報知を聞き直すことができ、使用者が誤って運転を再開した場合でも音声報知された情報を聞き直すことができ、使用性の良い電気掃除機を提供できるものである。
【０００９】
第３の発明は、第１または第２の発明の音声報知手段がファンモータ停止中に一度報知した最新の音声を再び報知しているときに、前記ファンモータの駆動が開始されると、音声報知を停止する構成としたもので、使用者が音声報知された情報を聞き直している間に、冒頭の部分のみ聞きたかった場合や、或いは途中まで聞いたところで必要無いと判断した場合等に、音声報知を電気掃除機の使用開始と同時に、キャンセルすることができ、使用性の良い電気掃除機を提供できるものである。
【００１０】
以下、本発明の実施の形態について、図面を参照しながら説明する。なお、この実施の形態によって本発明が限定されるものではない。
【００１１】
（実施の形態１）
図１は、本発明の第１の実施の形態における電気掃除機の制御タイミングチャートであり、図２は同電気掃除機の制御ブロック図、図３は同電気掃除機の入力設定部の構成図である。
【００１２】
図１〜図３において、ファンモータ１は電気掃除機本体（図示せず）に塵埃を吸引するための吸込力を発生させるものである。集塵手段（図示せず）はファンモータ１よりも吸気側に備えられており、ファンモータ１によって吸引された塵埃と吸気風を、吸気風のみを通過させることで塵埃を集塵する。
【００１３】
入力設定手段２は使用者の選択した入力ポジションに応じて制御手段３に信号を発信する運転切替スイッチ２ａと、操作することでファンモータ１を停止させる信号を発信する運転停止スイッチ２ｂ、及び、操作手段６から構成されている。制御手段３は入力設定手段２からの信号に応じて、ファンモータ制御手段４を制御し、ファンモータ１の位相制御を行うことで、ファンモータ１を所定の入力で動作させている。
【００１４】
音声報知手段５は制御手段３からの駆動信号を受けて、使用者に電気掃除機の異常状態を音声を用いて報知する。操作手段６は操作されることで、音声報知を再び行わせるための信号を制御手段３に送信する。
【００１５】
以上のように構成された電気掃除機について、以下その動作、作用について説明する。
【００１６】
使用者が掃除動作を行う中で、集塵手段に多くの塵埃が累積してくると、電気掃除機の風量、吸い込み力は低下していく。
【００１７】
集塵手段内に塵埃が多数累積した状態では充分な吸い込み力が確保できず、また電気掃除機内部を冷却するのに充分な冷却風を確保できないため、制御手段３はファンモータ制御手段４にファンモータ１への通電時間を減らす（入力を減少させる）信号を発信するとともに、音声報知手段５に集塵手段内の塵埃の廃棄を促す音声報知をさせる信号を発信する。
【００１８】
この信号を受けたファンモータ制御手段４は、ファンモータ１への通電時間を減らし、音声報知手段５は、例えば使用者に「集塵手段内に塵埃が多数です。塵埃を廃棄してください。」と発声し、使用者に集塵手段内の塵埃の廃棄を促す。
【００１９】
この時、使用者が音声報知された内容を聞き取れなかった場合や、報知された情報をもう一度聞き直したい場合、使用者は異常状態であるため、一旦電気掃除機を停止させて
操作手段６を操作することで、制御手段３は音声報知手段５に再び同内容の音声報知をさせる信号を発信し、音声報知手段５は再び使用者に対して集塵手段内の塵埃を廃棄するよう喚起する。
【００２０】
以上のように、本実施の形態においてはファンモータ１が停止状態時に操作手段６を操作されることで、一度音声報知した内容を再び報知することで、使用者は音声報知された情報を聞き直おすことができ、また、聞き直し時の音声報知はファンモータ１が停止した状態で聞くこととなり、ファンモータ１の運転音が無い状態で音声報知された情報を確実に聞き取ることができる。
【００２１】
また、音声報知手段５が電気掃除機の異常状態を報知した後に、電気掃除機を動作させても、使用者が操作手段６を操作すると、制御手段３はファンモータ制御手段４にファンモータ１への通電を停止させるための信号を発信するとともに、音声報知手段５に再び同内容の音声報知をさせる信号を発信し、音声報知手段５は再び使用者に対して集塵手段内の塵埃を廃棄するよう喚起することにより、電気掃除機が運転動作中であっても、音声報知を聞き直す時には、ファンモータ１を停止させた状態で聞くこととなるため、使用者はファンモータ１の運転音が無い状態で音声報知された情報を確実に聞き取ることができる。
【００２２】
または、聞き直しの音声報知中に、使用者がファンモータ１の運転開始操作が行うと、制御手段３が音声報知手段５に音声報知停止信号を発信することにより、聞き直し音声報知をキャンセルすることができるため、使用者が音声報知の冒頭の部分のみ聞きたかった場合や、途中まで聞いたところで必要無いと判断した場合等に、音声報知をキャンセルすることができ、使用性の良い電気掃除機を提供できるものである。
【００２３】
或いは、入力設定手段２に運転停止スイッチ２ｂを具備し、操作手段６は入力設定手段２の運転停止スイッチと共用することにより、部品点数を削減することでき価格を下げることができる。また、電気掃除機を操作するための制御装置を少なくすることができるため、使用者の操作が簡単で使用性の良い電気掃除機を提供できるものである。
【００２４】
なお、本実施の形態の電気掃除機では、複雑な制御を必要とする構成で説明したが、例えば、ファンモータ１と商用電源を直接接続して運転する様な単純な構成の電気掃除機で聞き直しを行ってもよい。
【産業上の利用可能性】
【００２５】
以上のように本発明にかかる電気掃除機は、ファンモータが停止した状態で、使用者が確実に音声報知を聞き直すことが可能となるため、使用者にそれらの情報が伝わらないという問題を解決できる。そのため家庭用電気掃除機だけでなく、よりメンテナンスが重要となる業務用電気掃除機等への応用展開も有用である。
【図面の簡単な説明】
【００２６】
【図１】本発明の実施の形態１における電気掃除機の制御のタイミングチャート
【図２】同実施の形態における電気掃除機の制御ブロック図
【図３】同実施の形態における電気掃除機の入力設定部の構成図
【符号の説明】
【００２７】
１    ファンモータ
２    入力設定手段
２ａ  運転切替スイッチ
２ｂ  運転停止スイッチ
３    制御手段
４    ファンモータ制御手段
５    音声報知手段
６    操作手段
【図１】
2007125133.tif 000003
【図２】
2007125133.tif 000004
【図３】
2007125133.tif 000005